(57)【要約】【課題】デスク近辺で使用する月別小型カレンダーを、任意の場所に取付けられるようにするとともに、取付け，取外しが片方の手で容易にできるようにする。【解決手段】１２ヶ月のカレンダーを１２葉のほぼ正方形磁性紙に印刷し、磁性紙の一辺の長さの約１．５倍以上の帯状のゴム磁石で取付ける。【選択図】          図１
2004155040.tif 000002
【特許請求の範囲】
【請求項１】
磁性体で作られた箔の両面を紙，布，プラスチック等表面に印刷可能な材料でサンドイッチ状に挟んだ１２葉の磁性紙と、一方の面に接着剤を有する帯状のゴム磁石とよりなり、
前記磁性紙はほぼ正方形で、１２葉の表面には各月のカレンダーが印刷されており、
前記ゴム磁石は磁性紙の一辺の寸法の１．５倍以上の長さを有し、
前記ゴム磁石を非磁性体面に貼り付けた後、その上から前記磁性紙を付着させるようにしたカレンダー。
【請求項２】
請求項１のカレンダーにおいて、ゴム磁石の長さを、磁性紙の一辺の長さの２倍以下としたカレンダー。
【発明の詳細な説明】
【０００１】
【発明の属する技術分野】
本発明はカレンダーに関するもので、特に月別の１２葉からなる小型のものを、いかなる場所にも取り付け可能で、且つ取り外しも容易にしたカレンダーに関するものである。
【０００２】
【従来の技術】
カレンダーは事務用，家庭用などの大判のものはフックを利用して壁に吊り下げて使用するのが普通であるが、個人用の小型のものは一年分（１２葉）をホルダーに納め、デスク上につい立状に立てて使用するのが一般的である。
【０００３】
【発明が解決しようとする課題】
しかしながら、カレンダーを納めたホルダーをデスク上に置くことは、デスク上の整理整頓のためには望ましくない。
特に近年パソコンのような事務機器が必需品となり、机上にかなりの面積を占めるようになると、置き場所にも困ることになる。
また、カレンダーは使用上翌月分を見る必要がしばしば生ずるが、１２葉が重なってホルダーに納められているとその都度取り出すのが不便である。
更にホルダーは或る程度の装飾性と強度が必要なので、カレンダー本体の製作費と同等以上のコストを要し、これが全体の原価を押し上げている。
【０００４】
本発明は、デスク周辺の、デスク面上から突出している部分、例えばパーティション，パソコン外箱などの空きスペースに容易に取付けられるカレンダーを提供しようとするものである。
また、本発明は必要な翌月分或いは前月分のカレンダーも、当月分のカレンダーと共に展示できるようにしたものである。
更に本発明は、取付け、取外しの動作が原則的に片手で行えるカレンダーを提供しようとするものである。動作が片手でできるということは、もう一方の手が筆記，電話等でふさがることの多い事務用の使用において特に重要な利便性である。
更に本発明のカレンダーによると、ホルダーを省略することができる。
【０００５】
【課題を解決するための手段】
上記課題を解決するため、本発明のカレンダーはほぼ正方形の磁性箔の両面を紙，布，プラスチックのような表面に印刷可能な材料でサンドイッチ状にはさんだ紙状体（以下磁性紙という）を使用し、その１２葉に月別のカレンダーを印刷すると共に、磁性紙の横幅の寸法の１．５倍以上２．０倍以下の長さを有する帯状磁石を、カレンダー取付け部分に貼付し、その上に磁性紙に印刷されたカレンダーの一葉を付着するようにしたものである。
【０００６】
【実施例】
本発明の実施例を以下図面を用いて説明する。
図４は、本発明に使用される磁性紙１の構造を示す断面図である。
Ｆｅは磁性体の箔で、その両面から紙，布，プラスチックなどの印刷可能な材料Ａ，Ｂで、サンドイッチ状に密着して挟まれている。
【０００７】
磁性紙１は、例えば北越パッケージ株式会社から「アイアンペーパー」の商標で発売されており、中心の鉄箔は弱磁性体なのでそれ自体は吸着力を有しないが、外部の磁石には良く吸着する性質を有している。
電磁波をシールドするので、磁気ディスクのケースなどに使用し、外部電磁波の影響を防ぐために使用される。
また、表面に碁盤目を印刷し、碁石に磁石を埋め込んだものを使用すると、車中など振動する場所で使える碁盤を作ることができるので、その種ゲーム板などに使用されている。
【０００８】
図５は、本発明に用いられる帯状のゴム磁石２の断面図である。
Ｍはゴム，プラスチック等の柔軟な材料に磁性粉を練り込んだゴム磁石で、全体として磁石の性質を示し、磁性体を吸着する。
ゴム磁石Ｍの片面には接着剤層Ｃがコーティングされており、接着剤層Ｃの表面には剥離紙Ｄが付着され、使用時は剥離紙を取除いて使用する。
接着剤Ｃは、予めゴム磁石Ｍにコーティングしておいてもよいし、或いは剥離紙Ｄと接着剤Ｃが一体となった接着用テープをゴム磁石Ｍに貼り付けてもよい。
【０００９】
図１は、本発明のカレンダーの構成を示す図である。
１は図４に示す磁性紙で一辺約１０ｃｍ程度のほぼ正方形に裁断されており、表面Ａには、カレンダーの数字・文字３が印刷されている。
裏面となる面Ｂは（図示せず）白紙のままでもよいが、罫線などを印刷し、メモ用，スケジュール表などに使用できるようにしておくとよい。
このような磁性紙１２葉に１２か月分のカレンダーが印刷される。
２は帯状のゴム磁石で、厚さ約１ｍｍ，巾約１５ｍｍ，長さはほぼ正方形の磁性紙１の一辺の長さの約１．５倍である。
従って、磁性紙の一辺の長さが約１０ｃｍであれば長さは１５〜１６ｃｍ程度である。
【００１０】
図２は本発明のカレンダーを使用する方法の一例を説明する図である。
４はパソコンのディスプレイで、正面から見たところを示している。
５はそのベゼル（外枠）である。パソコンの小型化に伴ない、ベゼル幅は狭くなる傾向にあり、最近は２ｃｍ以下のものも表れている。
使用に際しては、まずゴム磁石２の接着剤面をベゼルの任意の位置、図示の例では左上部に貼り付ける。
次に、この上から磁性紙１に印刷されたカレンダーの一葉の下縁を押しつけると図示のような位置に固定される。
カレンダーの一葉の一辺が約１０ｃｍ或いはそれ以下の正方形状であれば、下縁のみで固定されても、ずり落ちたり、前に倒れてくる心配はない。
従って、ディスプレイ画面の一部が隠れてしまうような心配もない。
また、上部は空間に突出しているので、上部を持って取り外したり、取付けることが容易なので、磁性紙を随時取り外してメモなどを記入できる。
【００１１】
ゴム磁石２の長さは、カレンダーの一葉の一辺の長さの約１．５倍の長さを有するので、磁性紙１（カレンダーの一葉）を図２に示すように、ゴム磁石２の左端によせて取付けると、磁性紙の右側には、一辺の約０．５倍のゴム磁石の余白部が生じる。
月別カレンダーを使用する場合は月末に近づくとしばしば翌月分を見る必要に迫られるが、その場合この余白部に翌月分のカレンダーが印刷された磁性紙１´を点線で図示の如く取付けることができる。
また、裏（Ｂ）面を表側にして取付け、メモや予定を表示することもできる。この場合、磁性紙は下縁の約二分の一しか吸着力を受けないことになるが、実験上磁性紙の二分の一以上がゴム磁石上にあれば、磁性紙がはがれたり、ずり落ちたりする心配がないことが確かめられた。
反対にこの長さが二分の一以下となると、磁性紙の重みを支えられなくなり、ずれ落ちの危険が急増する。
なお、ゴム磁石の長さを磁性紙１の一辺の長さの２．０倍以上にすると、貼着する場所の余裕がない場合に反って制約となる他、磁性紙を一葉のみしか使用しない場合は、余白部が多すぎて見苦しくなるという欠点がある。
【００１２】
図３は、本発明のカレンダーをパソコンのベゼルの右側の縦の部分に使用する場合を説明する図である。
図２と同一箇所には同一の符号を用いている。
この例においてもベゼル５の縦の部分に沿ってゴム磁石２が貼着されその上から磁性紙１の一葉の左縁がゴム磁石２の上端によせて付着されている。
この場合も、ゴム磁石の下端には磁性紙一葉の辺の長さの約二分の一の長さの余白が生じることは前項の説明から明らかである。
この余白部分に翌月のカレンダー，メモ等を付着（点線で図示）できることも図２に示す例と同じである。
この例でも磁性紙の一葉の辺の長さの約二分の一がゴム磁石に当接していれば磁性紙は落ちたり、ずれたりする心配ないことが実験的に確かめられた。
【００１３】
以上の例は、本発明のカレンダーをパソコンのベゼルに使用する例について説明したが、パーティション，棚など身近な個所に取付けて簡単に使用することができることは言うまでもない。
また、ゴム磁石を水平又は垂直に貼って使用した例について説明したが、使用する場所の広さ，形状に応じて、ゴム磁石を斜めに貼って使用することもできる。
【００１４】
【発明の効果】
本発明のカレンダーは、デスクなどで使用する小型カレンダーを、任意の場所に設置でき、しかも取付け取外しが片手で簡単にできるので、事務用のカレンダーとして好適である。
また、ホルダーを必要としないので省資源で安価なカレンダーを提供できる。
【図面の簡単な説明】
【図１】本発明のカレンダーの構成を示す図
【図２】本発明のカレンダーの使用方法を説明する図
【図３】本発明のカレンダーの使用方法を説明する図
【図４】本発明に使用される磁性紙を説明する図
【図５】本発明に使用されるゴム磁石を説明する図。
【符号の説明】
Ｆｅ・・・・・・・磁性体の箔
Ａ，Ｂ・・・・・・印刷可能な材料
Ｍ・・・・・・・・柔軟な材料に磁性粉を練り込んだ磁石
Ｃ・・・・・・・・接着剤
Ｅ・・・・・・・・剥離紙
１・・・・・・・・磁性紙
２・・・・・・・・帯状のゴム磁石
３・・・・・・・・カレンダーの数字・文字
４・・・・・・・・パソコンのディスプレイ
５・・・・・・・・パソコンのディスプレイのベゼル（外枠）
【図１】
2004155040.tif 000003
【図２】
2004155040.tif 000004
【図３】
2004155040.tif 000005
【図４】
2004155040.tif 000006
【図５】
2004155040.tif 000007